(57)【要約】【課題】  コンセントにプラグを介して接続したケーブルが悪戯等によってコンセントから引き抜かれるのを防止する。【解決手段】  コンセント４にプラグ５を介して接続されるケーブルの抜け防止構造であって、前記コンセント４に差し込まれたプラグ５の背部側において、前記プラグ５と干渉することにより前記プラグ５が前記コンセント４から引き抜かれるのを阻止する第１の位置と、前記プラグ５が前記コンセント４から引き抜かれるのを許容する第２の位置との間を移動可能に設けられた規制手段１０と、前記規制手段１０を、前記第１の位置にロックするロック手段と２５を備えたケーブルの抜け防止構造。【選択図】        図１
2011141966.tif 000002
【特許請求の範囲】
【請求項１】
コンセントにプラグを介して接続されるケーブルの抜け防止構造であって、
前記コンセントに差し込まれたプラグの背部側において、前記プラグと干渉することにより前記プラグが前記コンセントから引き抜かれるのを阻止する第１の位置と、前記プラグが前記コンセントから引き抜かれるのを許容する第２の位置との間を移動可能に設けられた規制手段と、
前記規制手段を、前記第１の位置にロックするロック手段とを備えたことを特徴とするケーブルの抜け防止構造。
【請求項２】
前記コンセントは凹部の底面に設けられ、
前記規制手段は、前記凹部の開口部を、閉じた状態で前記ケーブルに干渉しないように開閉可能に設けられた開閉手段であり、前記第１の位置は、前記開閉手段が前記開口部を閉じる位置であり、前記第２の位置は、前記プラグを前記コンセントから引き抜くことができるように前記開閉手段が前記開口部を少なくとも部分的に開いた位置であることを特徴とする請求項１に記載のケーブルの抜け防止構造。
【請求項３】
前記開閉手段は、壁面に設けられた前記凹部の開口部を開閉するシャッターからなり、前記ロック手段は、前記壁面と直交する方向に進退可能に設けられて、先端が前記シャッターの内面側の一部に係止され、前記シャッターが前記凹部の開口部を閉じた状態にロックするロックピンからなることを特徴とする請求項２に記載のケーブルの抜け防止構造。
【請求項４】
前記シャッターには、前記ケーブルを挿通させるスリット状の挿通部が設けられ、該挿通部内に前記ケーブルを挿通させた状態で、前記シャッターの内面側の前記挿通部の周縁部と前記プラグの背部側とが干渉することにより、前記プラグが引き抜かれるのが阻止されていることを特徴とする請求項３に記載のケーブルの抜け防止構造。
【請求項５】
前記シャッターには、前記挿通部を開閉する開閉蓋がスライド可能に設けられていることを特徴とする請求項４に記載のケーブルの抜け防止構造。
【請求項６】
前記凹部の開口部は、２枚の前記シャッターによって開閉可能に構成され、両シャッターを互いに重合させた状態で前記凹部の開口部が閉じられ、各シャッターの前記挿通部の前記ケーブルの挿通部分以外の部分が相手方のシャッターの挿通部以外の部分によって閉じられることを特徴とする請求項４に記載のケーブルの抜け防止構造。
【請求項７】
前記挿通部の内面には、前記ケーブルの周面と前記挿通部の内面との間をシールするシール部材が設けられていることを特徴とする請求項６に記載のケーブルの抜け防止構造。
【請求項８】
前記シャッターの外側の前記壁面の部分には、前記凹部の開口部の前記シャッターの外側の部分を開閉する外蓋が設けられていることを請求項２から７の何れか１項に記載のケーブルの抜け防止構造。
【発明の詳細な説明】
【技術分野】
【０００１】
本発明は、ケーブルの抜け防止構造に関し、特に、建物等の壁面等に設けられたコンセントにプラグを介して接続される電源ケーブル等のケーブルの抜け防止に有効なケーブルの抜け防止構造に関する。
【背景技術】
【０００２】
建物等の壁面等には、商用電源等の電源に接続されるコンセントが露出した状態で設けられ、このコンセントに電気機器の電源ケーブルをプラグを介して接続することにより、商用電源等の電源から電源ケーブルを介して電気機器に電力が供給される。
【０００３】
上記のようなコンセントに電気機器を接続して使用する場合、電気機器の使用時に、何らかの原因（誤って電源ケーブルに足等が引っ掛かる、悪戯等）により、電源ケーブルのプラグがコンセントから外れ、商用電源からの電力の供給が突然断たれることがあり、電気機器に支障が生じることある。
【０００４】
このため、電気機器の使用時に、何らかの方法により、電源ケーブルのプラグがコンセントから外れるのを防止し、商用電源からの電力の供給が断たれるのを防止する必要がある。
【０００５】
ケーブルのコンセントからの抜け防止方法の例が特許文献１、２に記載されている。特許文献１に記載の抜け防止方法は、開閉手段を介して開閉自在に連結される一対のハウジングを用い、この一対のハウジングをコンセントに接続したプラグを囲むように配置し、両ハウジングのケーブル通し穴内にケーブルを通し、この状態で両ハウジングを閉じて壁面にねじで固定することにより、プラグがコンセントから外れて電源からの電力の供給が断たれるのを防止するように構成したものである。
【０００６】
また、特許文献２に記載の抜け防止方法は、プラグ側に弾性変形可能な爪を設けるとともに、コンセント側にプラグ側の爪を掛着可能な爪を設け、プラグをコンセントに差し込んだ状態で、プラグ側の爪を弾性変形させてコンセント側の爪に掛着させることにより、プラグがコンセントから外れるのを防止するように構成したものである。
【先行技術文献】
【特許文献】
【０００７】
【特許文献１】特開平１０−９２５１１号公報
【特許文献２】特開２００３−１４２２０２号公報
【発明の概要】
【発明が解決しようとする課題】
【０００８】
ところで、特許文献１に記載の抜け防止方法は、ケーブルに誤って足が引っ掛かったような場合には、プラグがコンセントから外れるのを防止できるが、両ハウジングを固定しているねじを簡単に取り外すことができる構造となっているため、悪戯によってプラグがコンセントから引き抜かれるのを防止することは困難である。また、特許文献２に記載の抜け防止方法は、プラグ側の爪がコンセント側の爪に係止されているだけなので、ケーブルに誤って足が引っ掛かった場合や、悪戯によって容易にプラグがコンセントから引き抜かれてしまう。
【０００９】
本発明は、上記のような従来の問題に鑑みなされたものであって、悪戯等によってプラグがコンセントから引き抜かれるのを防止できるケーブルの抜け防止構造を提供することを目的とする。
【課題を解決するための手段】
【００１０】
上記のような課題を解決するために、本発明は、以下のような手段を採用している。
すなわち、本発明は、コンセントにプラグを介して接続されるケーブルの抜け防止構造であって、前記コンセントに差し込まれたプラグの背部側において、前記プラグと干渉することにより前記プラグが前記コンセントから引き抜かれるのを阻止する第１の位置と、前記プラグが前記コンセントから引き抜かれるのを許容する第２の位置との間を移動可能に設けられた規制手段と、前記規制手段を、前記第１の位置にロックするロック手段とを備えたことを特徴とする。
【００１１】
本発明のケーブルの抜け防止構造によれば、コンセントにプラグを介してケーブルを接続し、この状態で規制手段を第１の位置に移動させ、この第１の位置に規制手段をロック手段によってロックすることにより、プラグの背部側でプラグと規制手段とが干渉し、プラグがコンセントから引き抜かれるのが阻止される。また、ロック手段による規制手段のロック状態を解除し、規制手段を第１の位置から第２の位置に移動させることにより、プラグをコンセントから引き抜くのが許容される。
従って、ロック手段による規制手段のロック状態を解除し、規制手段を第１の位置から第２の位置に移動させない限り、プラグをコンセントから引き抜くことができないので、悪戯等によってプラグがコンセントから引き抜かれるのを防止できる。
【００１２】
また、本発明において、前記コンセントは凹部の底面に設けられ、前記規制手段は、前記凹部の開口部を、閉じた状態で前記ケーブルに干渉しないように開閉可能に設けられた開閉手段であり、前記第１の位置は、前記開閉手段が前記開口部を閉じる位置であり、前記第２の位置は、前記プラグを前記コンセントから引き抜くことができるように前記開閉手段が前記開口部を少なくとも部分的に開いた位置であることとしてもよい。
【００１３】
本発明のケーブルの抜け防止構造によれば、コンセントにプラグを介してケーブルを接続し、この状態で開閉手段を凹部の開口部を閉じる第１の位置に移動させることにより、プラグの背部側でプラグと開閉手段とが干渉し、プラグがコンセントから引き抜かれるのが阻止される。また、開閉手段を第１の位置から凹部の開口部を少なくとも部分的に開いた第２の位置に移動させることにより、プラグと開閉手段との干渉状態が解除され、プラグをコンセントから引き抜くことができる。
【００１４】
さらに、本発明において、前記開閉手段は、壁面に設けられた前記凹部の開口部を開閉するシャッターからなり、前記ロック手段は、前記壁面と直交する方向に進退可能に設けられて、先端が前記シャッターの内面側の一部に係止され、前記シャッターが前記凹部の開口部を閉じた状態にロックするロックピンからなることとしてもよい。
【００１５】
本発明のケーブルの抜け防止構造によれば、コンセントにプラグを介してケーブルを接続し、この状態でシャッターを凹部の開口部を閉じる第１の位置に移動させ、ロックピンの先端をシャッターの内面側に係止させ、シャッターが凹部の開口部を閉じた状態にロックすることにより、プラグの背部側でプラグとシャッターとが干渉し、プラグがコンセントから引き抜かれるのが阻止される。また、ロックピンの先端のシャッターの裏面側への係止状態を解除し、シャッターを第１の位置から凹部の開口部を少なくとも部分的に開いた第２の位置に移動させることにより、プラグとシャッターとの干渉状態が解除され、プラグをコンセントから引き抜くことができる。
【００１６】
さらに、本発明において、前記シャッターには、前記ケーブルを挿通させるスリット状の挿通部が設けられ、該挿通部内に前記ケーブルを挿通させた状態で、前記シャッターの内面側の前記挿通部の周縁部と前記プラグの背部側とが干渉することにより、前記プラグが引き抜かれるのが阻止されていることとしてもよい。
【００１７】
本発明のケーブルの抜け防止構造によれば、コンセントにプラグを介してケーブルを接続し、この状態でシャッターを凹部の開口部を閉じる第１の位置に移動させることにより、シャッターの挿通部をケーブルが挿通し、プラグの背部側でシャッターの内面側の挿通部の周縁部とプラグの背部側とが干渉し、プラグがコンセントから引き抜かれるのが阻止される。
【００１８】
さらに、本発明において、前記シャッターには、前記挿通部を開閉する開閉蓋がスライド可能に設けられていることとしてもよい。
【００１９】
本発明のケーブルの抜け防止構造によれば、コンセントの不使用状態において、シャッターによって凹部の開口部を閉じ、開閉蓋によってシャッターの挿通部を閉じることができる。従って、コンセントが屋外に露出するような部分に設けられている場合に、屋外から雨水や粉塵等がコンセント側に浸入するのを防止できる。
【００２０】
さらに、本発明において、前記凹部の開口部は、２枚の前記シャッターによって開閉可能に構成され、両シャッターを互いに重合させた状態で前記凹部の開口部が閉じられ、各シャッターの前記挿通部の前記ケーブルの挿通部分以外の部分が相手方のシャッターの挿通部以外の部分によって閉じられることとしてもよい。
【００２１】
本発明のケーブルの抜け防止構造によれば、コンセントにプラグを介してケーブルを接続し、この状態で２枚のシャッターを凹部の開口部を閉じる第１の位置に移動させることにより、２枚のシャッターが重合した状態で凹部の開口部が閉じられ、プラグの背部側でプラグと２枚のシャッターとが干渉し、プラグがコンセントから引き抜かれるのが阻止される。この場合、各シャッターの挿通部のケーブルの挿通部分以外の部分は、相手方シャッターの挿通部以外の部分で閉じられることになるので、コンセントが屋外に露出するような部分に設けられている場合に、両シャッターの挿通部とケーブルとの間からコンセント側に雨水や粉塵等が浸入するのを防止できる。
【００２２】
さらに、本発明において、前記挿通部の内面には、前記ケーブルの周面と前記挿通部の内面との間をシールするシール部材が設けられていることとしてもよい。
【００２３】
本発明のケーブルの抜け防止構造によれば、ケーブルとシャッターの挿通部との間はシール部材によってシールされることになるので、コンセントが屋外に露出するような部分に設けられている場合に、ケーブルとシャッターの挿通部との間を介して屋外から雨水や粉塵等がコンセント側に浸入するのを防止できる。
【００２４】
さらに、本発明において、前記シャッターの外側の前記壁面の部分には、前記凹部の開口部の前記シャッターの外側の部分を開閉する外蓋が設けられていることとしてもよい。
【００２５】
本発明のケーブルの抜け防止構造によれば、凹部の開口部のシャッターの外側の部分を外蓋によって閉塞することにより、コンセントの不使用時に、屋外から雨水や粉塵等がコンセント側に浸入するのを更に効果的に防止できる。
【発明の効果】
【００２６】
以上、説明したように、本発明のケーブルの抜け防止構造によれば、コンセントにプラグを介してケーブルを接続した状態で、規制手段を第１の位置に移動させ、ロック手段によって規制手段を第１の位置にロックすることにより、プラグの背部側においてプラグと規制手段とが干渉し、プラグがコンセントから引き抜かれるのが阻止される。また、ロック手段による規制手段のロック状態を解除し、規制手段を第１の位置から第２の位置に移動させることにより、プラグをコンセントから引き抜くことができる。従って、ロック手段による規制手段のロックを解除しない限り、プラグをコンセントから引き抜くことができないので、悪戯等によってプラグからコンセントから引き抜かれるのを阻止でき、ケーブルに接続される電気機器を保護することができる。
【図面の簡単な説明】
【００２７】
【図１】本発明によるケーブルの抜け防止構造の第１の実施の形態を示した概略断面図である。
【図２】図１のＡ方向から見た概略平面図である。
【図３】図１のシャッターの動作を示した説明図である。
【図４】本発明によるケーブルの抜け防止構造の第２の実施の形態を示した概略平面図である。
【図５】本発明によるケーブルの抜け防止構造の第３の実施の形態を示した概略断面図である。
【図６】図５のＢ方向から見た概略平面図である。
【発明を実施するための形態】
【００２８】
以下、図面を参照しながら本発明の実施の形態について説明する。
図１〜図３には、本発明によるケーブルの抜け防止構造の第１の実施の形態が示されている。このケーブルの抜け防止構造は、コンセント４にプラグ５を介して接続される電源ケーブル、充電ケーブル等の各種のケーブル７が、悪戯等によってコンセント４から引き抜かれるのを防止するのに有効なものである。
【００２９】
本実施の形態においては、建物等の壁体１に設けられた凹部２の底面に商用電源等の電源に接続されるコンセント４が設けられ、このコンセント４が凹部２内に露出され、このコンセント４に壁面３の外方からプラグ５を介して接続される電気機器の電源ケーブル、充電ケーブル等のケーブル７の抜け防止に適用している。
【００３０】
本実施の形態のケーブルの抜け防止構造は、図１及び図２に示すように、壁体１の凹部２の開口部を開閉する規制手段である開閉手段１０と、開閉手段１０が凹部２を閉じた状態に壁体１の内方からロックするロック手段２５とを備えている。
【００３１】
開閉手段１０は、壁体１に、壁面３に沿って図２の矢印ａ、ｂ方向にスライド可能に設けられるシャッター１１と、シャッター１１を案内する一対のガイドレール１８、１８とを備え、シャッター１１を図２の矢印ａ方向（左方向）にスライドさせることにより壁体１の凹部２の開口部が閉じられ、図２の矢印ｂ方向（右方向）にスライドさせることにより壁体１の凹部２の開口部が開かれる。
【００３２】
シャッター１１は、鉄、アルミ等の金属板や合成樹脂板から形成されるものであって、壁体１の凹部２よりも一回り大きく（凹部２を閉じ得る大きさ）形成されている。本実施の形態においては、壁体１の四角形状の凹部２に対応してシャッター１１を四角形板状に形成している。
【００３３】
シャッター１１の中央部には、図２の左辺から右方向へ延び、奥部が円弧状になるように切り欠かれてなるスリット状の挿通部１５が設けられ、この挿通部１５内をケーブル７が挿通可能に構成されている。シャッター１１の表面１２側の図２の左端部には、棒状の把手１７が突出した状態で一体に設けられ、この把手１７を手で掴んでシャッター１１を図２の矢印ａ、ｂ方向（左右方向）にスライドさせることにより、壁体１の凹部２の開口部を開閉させることができる。
【００３４】
各ガイドレール１８は、長手方向に延びる案内溝１９を有する凹形断面の棒状をなすものであって、壁体１の凹部２の上下縁部に凹部２に沿うように、かつ案内溝１９が上下に向かい合うようにそれぞれ設けられ、この一対のガイドレール１８、１８の両案内溝１９、１９内にシャッター１１の上下端部が係合されている。
【００３５】
なお、凹部２の図中右側には、凹部２の開口部より一回り大きい大きさのガイドレール１８を収容できる凹部２よりも深さの浅い第２凹部（図示せず）が設けられている。そして、各ガイドレール１８は、全長が凹部２の幅ｃの約２倍の長さに形成され、左半部が凹部２の上下縁部に位置し、右半部が第２凹部の上下縁部に位置するように設けられ、この一対のガイドレール１８、１８により、シャッター１１が凹部２の開口部を閉じた第１の位置と開いた第２の位置との間をスライド可能に案内されている。
【００３６】
ガイドレール１８は、コンセント４にケーブル７のプラグ５を接続し、この状態でシャッター１１を図２の矢印ａ方向（左方向）にスライドさせて壁体１の凹部２の開口部を閉じ、かつ、シャッター１１が凹部２の開口部を閉じた状態でシャッター１１の裏面１３側とプラグ５の背部側とが干渉するように、壁体１への取付位置が設定されている。
【００３７】
このような位置にガイドレール１８、１８を設けることにより、コンセント４にケーブル７のプラグ５を接続し、シャッター１１で壁体１の凹部２の開口部を閉じたときに、シャッター１１の裏面１３側とプラグ５の背部側とが干渉し、プラグ５がコンセント４から引き抜かれるのを阻止でき、プラグ５をコンセント４に差し込んだ状態に固定することができ、プラグ５にガタが生じるのを防止できる。
【００３８】
なお、本実施の形態においては、シャッター１１を図２の矢印ａ、ｂ方向（左右方向）にスライド可能に設けているが、図２の上下方向、又は斜め方向にスライド可能に設けてもよい。また、図示はしないが、壁体１の凹部２の開口縁部に蝶番を介してシャッターを回動自在に連結し、シャッターを壁体１の方向に回動させたときに壁体１の凹部２の開口部を閉じ、壁体１から離れる方向に回動させたときに壁体１の凹部２の開口部を開くように構成してもよい。
【００３９】
ロック手段１４は、壁体１の凹部２の縁部に壁面３と直交する方向（図１の矢印方向）に進退可能に設けられる棒状のロックピン２６と、ロックピン２６を進退させる空圧、油圧のシリンダ等からなるアクチュエータ２７とを備え、壁体１の内方からアクチュエータ２７を作動させてロックピン２６を前進させることにより、ロックピン２６の先端がシャッター１１の裏面１３側のロック溝１４に係止され、シャッター１１が壁体１の凹部２の開口部を閉じた状態にロックされる。また、壁体１の内方からアクチュエータ２７を作動させて、ロックピン２６を後退させることにより、ロックピン２６の先端がロック溝１４から離脱され、シャッター１１のロック状態が解除される。
【００４０】
アクチュエータ２７は、操作スイッチを壁体１の内方に設け、この操作スイッチの操作によって作動させてロックピン２６を前進又は後退させてもよいし、シャッター１１が壁体１の凹部２の開口部を閉じたのをリミットスイッチ等で検知し、リミットスイッチ等からの信号によって作動させ、ロックピン２６を前進させるように構成してもよい。
【００４１】
なお、アクチュエータ２７としてばね等の付勢部材を用い、この付勢部材による付勢力を手動によってロックピン２７に付与させ、ロックピン２６を前進又は後退させるように構成してもよい。
【００４２】
上記のように構成した本実施の形態のケーブルの抜け防止構造において、壁体１のコンセント４に電気機器のケーブル７を接続するには、まず、図３（ａ）に示すように、シャッター１１を図中右方向にスライドさせ、壁体１の凹部２の開口部を開いてコンセント４を露出させる。そして、この状態で壁体１の壁面３の外方からコンセント４にケーブル７のプラグ５を差し込む。これにより、壁体１のコンセント４にケーブル７を介して電気機器が接続され、コンセント４に接続される商用電源等の電源からケーブル７を介して電気機器に電力が供給される。
【００４３】
次に、コンセント４にケーブル７のプラグ５を差し込んだ状態で、図３（ｂ）、（ｃ）に示すように、シャッター１１の把手１７を手で掴んで図中左方向にスライドさせることにより、壁体１の凹部２の開口部をシャッター１１によって閉じ、シャッター１１の裏面１３側とプラグ５の背部側とを干渉させ、プラグ５がコンセント４から引き抜かれるのを阻止する。この場合、ケーブル７は、シャッター１１の挿通部１５内に左辺の開口側から挿通されるので、ケーブル７がシャッター１１の開閉の邪魔になるようなことはなく、ケーブル７をコンセント４に接続した状態でシャッター１１により壁体１の凹部２の開口部を閉じることができる。
【００４４】
そして、シャッター１１で壁体１の凹部２の開口部を閉じた後に、図１に示すように、壁体１の内方から、アクチュエータ２７を作動させてロックピン２６を前進させ、ロックピン２６の先端をシャッター１１の裏面１３側のロック溝１４内に係止させる。これにより、シャッター１１が壁体１の凹部２の開口部を閉じた状態にロックすることができる。
【００４５】
また、シャッター１１が壁体１の凹部２の開口部を閉じたロック状態を解除する場合には、壁体１の内方からアクチュエータ２７を作動させてロックピン２６を後退させ、ロックピン２６の先端をシャッター１１のロック溝１４から離脱させる。これにより、シャッター１１のロック状態が解除され、シャッター１１を壁体１の凹部２の開口部を開く方向にスライドさせることができ、コンセント４からケーブル７のプラグ５を引き抜くことができる。
【００４６】
上記にように構成した本実施の形態のケーブルの抜け防止構造にあっては、壁体１のコンセント４にプラグ５を差し込むことによりコンセント４に電気機器のケーブル７を接続し、この状態で、シャッター１１をスライドさせシャッター１１で壁体１の凹部２開口部を閉じ、壁体１の内方からアクチュエータ２７を作動させて、ロックピン２６を前進させてロックピン２６の先端をシャッター１１の裏面１３側のロック溝１４内に係止させることにより、コンセント４にプラグ５を介してケーブル７を接続した状態で壁体１の凹部２の開口部を閉じ、シャッター１１が壁体１の凹部２の開口部を閉じた状態にロックすることができる。
【００４７】
この場合、シャッター１１のロック状態は、壁体１の内方からアクチュエータ２７を作動させない限り解除することができないので、悪戯等によって壁面３の外方からシャッター１１が開かれて壁体１の凹部２の開口部が開かれ、コンセント４からプラグ５が引き抜かれるようなことはなく、コンセント４にプラグ５を介してケーブル７を接続した状態を保ち続けることができる。
【００４８】
また、シャッター１１で壁体１の凹部２の開口部を閉じた状態で、シャッター１１の裏面１３側とプラグ５の背部側とが干渉することによってプラグ５の引き抜きが阻止されるので、誤ってケーブル７に足等が引っ掛かっても、プラグ５に緩みが生じるようなことはなく、コンセント４にケーブル７を確実に接続した状態を保ち続けることができる。
【００４９】
図４には、本発明によるケーブルの抜け防止構造の第２の実施の形態が示されている。このケーブルの抜け防止構造は、開閉手段１０として、第１の実施の形態と同様の構成の一対のシャッター１１ａ、１１ｂを互いに接近又は離隔する方向にスライド可能に設け、互いに接近する方向にスライドさせて、両シャッター１１ａ、１１ｂを互いに重合させた状態とすることにより壁体１の凹部２の開口部を閉じ、両シャッター１１ａ、１１ｂを互いに離隔する方向にスライドさせることにより、両シャッター１１ａ、１１ｂの重合状態を解除して壁体１の凹部２の開口部を開くように構成したものであって、その他の構成は前記第１の実施の形態に示すものと同様である。
【００５０】
この場合、一方のシャッター１１ａは、第１の実施の形態のシャッター１１と同一大きさの四角形板状に形成され、他方のシャッター１１ｂは、一方のシャッター１１ａよりも小さい四角形板状に形成されている。
【００５１】
また、一方のシャッター１１ａの挿通部１５ａは、第１の実施の形態のシャッター１１と同様に、図４の左辺側が開口されたスリット状に形成され、他方のシャッター１１ｂの挿通部１５ｂは、図４の右辺側が開口されたスリット状に形成され、両シャッター１１ａ、１１ｂを互いに接近する方向にスライドさせて両シャッター１１ａ、１１ｂを重合させたときに、一方のシャッター１１ａの挿通部１５ａ及び他方のシャッター１１ｂの挿通部１５ｂ内をケーブル７が挿通し、この状態で、両シャッター１１ａ、１１ｂの挿通部１５ａ、１５ｂのケーブル７の挿通部分以外の部分が相手方のシャッター１１ａ、１１ｂの挿通部１５ａ、１５ｂ以外の部分で閉じられるようになっている。
【００５２】
さらに、一方のシャッター１１ａの把手１７ａは、図４の上方の部分（他方のシャッター１１ｂとの重合部分以外の部分）に設けられ、他方のシャッター１１ｂの把手１７ｂは、図４の下方の部分のみに設けられ、両シャッター１１ａ、１１ｂの把手１７ａ、１７ｂ同士が互いに干渉しないように構成されている。
【００５３】
さらに、一方のシャッター１１ａの挿通部１５ａの図４の右端部の円弧状の部分、及び他方のシャッター１１ｂの挿通部１５ｂの図４の左端部の円弧状の部分には、それぞれシール部材１６であるパッキンが設けられ、両シャッター１１ａ、１１ｂで壁体１の凹部２を閉塞したときに、両シャッター１１ａ、１１ｂの両挿通部１５ａ、１５ｂの両パッキン１６、１６がケーブル７との間に介装され、それらの間がシールされるようになっている。
【００５４】
そして、上記のように構成した本実施の形態のケーブルの抜け防止構造にあっても、前記第１の実施の形態に示すものと同様の作用効果を奏する他、本実施の形態においては、両シャッター１１ａ、１１ｂの挿通部１５ａ、１５ｂとケーブル７との間がシール部材１６、１６によってシールされることになるので、壁体１の壁面３が屋外に露出するような場合に、外部から雨水や粉塵等が挿通部１５ａ、１５ｂとケーブル７との間の隙間を介して凹部２内に浸入し、コンセント４側に浸入するのを防止できる。
【００５５】
図５及び図６には、本発明によるケーブルの抜け防止構造の第３の実施の形態が示されている。このケーブルの抜け防止構造は、上記の第１の実施の形態のシャッター１１に、挿通部１５に沿ってスライド可能に凸形断面の帯板状の開閉蓋２１を設け、この開閉蓋２１によって挿通部１５を開閉するように構成するとともに、壁体１の凹部２の開口部のシャッター１１よりも外側の部分を開閉する外蓋２４を設けたものであって、その他の構成は前記第１の実施の形態に示すものと同様である。
【００５６】
この場合、開閉蓋２１は、シャッター１１の裏面１３側の挿通部１５の上縁部に設けられているガイドレール２２によって挿通部１５の長手方向にスライド可能に案内され、図６の右方向に開閉蓋２１をスライドさせることによりシャッター１１の挿通部１５が開かれ、図６の左方向に開閉蓋２１をスライドさせることによりシャッター１１の挿通部１５が閉じられる。
【００５７】
また、開閉蓋２１を案内するガイドレール２２の内部には、ばね等の付勢部材２３が設けられ、この付勢部材２３の付勢力により、常時、開閉蓋２１がシャッター１１の挿通部１５を閉塞する方向に付勢され、この付勢部材２３の付勢力に抗して開閉蓋２１を図１の右方向にスライドさせることにより、シャッター１１の挿通部１５が開かれる。
【００５８】
さらに、シャッター１１を案内するガイドレール１８の内部には、ばね等の付勢部材２０が設けられ、この付勢部材２０の付勢力により、常時、シャッター１１が壁体１の凹部２を閉塞する方向に付勢され、この付勢部材２０の付勢力に抗してシャッター１１を図１の右方向にスライドさせることにより、壁体１の凹部２の開口部が開かれる。
【００５９】
そして、上記のように構成した本実施の形態のケーブルの抜け防止構造にあっても、前記第１の実施の形態に示すものと同様の作用効果を奏する他、本実施の形態においては、シャッター１１の挿通部１５を開閉する開閉蓋２１を有し、シャッター１１よりも外側の壁体１の凹部２の開口部分を開閉する外蓋２４を有しているので、コンセント４の不使用時に、シャッター１１によって壁体１の凹部２の開口部を閉塞することができるとともに、シャッター１１の挿通部１５を開閉蓋２１で閉じることができ、さらに、シャッター１１の外側の壁体１の凹部２の開口部分を外蓋２４で閉じることができることになる。
【００６０】
従って、壁体１の壁面３が屋外に露出するような場合に、外部から雨水や粉塵等が壁体１の凹部２に浸入し、コンセント４側に浸入するのを更に効果的に防止することができる。
【００６１】
なお、前記の説明においては、壁体１の内方に設けたロック手段２５のアクチュエータ２７の作動により、ロックピン２６を前進させてシャッター１１の裏面１３側のロック溝１４内に係止させることにより、シャッター１１が壁体１の凹部２の開口部を閉じた状態にロックしたが、シャッター１１に、凹部２の開口部を閉じた状態にロックするカギを設け、壁面３の外方からガギを操作することにより、シャッター１１が壁体１の凹部２の開口部を閉じた状態にロックするように構成してもよい。
【００６２】
さらに、前記の説明においては、建物の壁体１に設けられたコンセント４に電気機器の電源ケーブル、充電ケーブル等のケーブル７をプラグ５を介して接続する場合について説明したが、電気自動車やハイブリット自動車等の蓄電池の充電口のコンセントに充電ケーブルをプラグを介して接続するような場合や、その他の各種の装置、機械等のコンセントに電源ケーブル、充電ケーブル等のケーブルをプラグを介して接続する場合等に適用してもよい。
【符号の説明】
【００６３】
１  壁体
２  凹部
２ａ  第２凹部
３  壁面
４  コンセント
５  プラグ
７  ケーブル
１０  規制手段（開閉手段）
１１  シャッター
１１ａ  一方のシャッター
１１ｂ  他方のシャッター
１２  表面
１３  裏面
１４  ロック溝
１５  挿通部
１５ａ  挿通部
１５ｂ  挿通部
１６  シール部材
１７  把手
１７ａ  把手
１７ａ  把手
１８  ガイドレール
１９  案内溝
２０  付勢部材
２１  開閉蓋
２２  ガイドレール
２３  付勢部材
２４  外蓋
２５  ロック手段
２６  ロックピン
２７  アクチュエータ
【図１】
2011141966.tif 000003
【図２】
2011141966.tif 000004
【図３】
2011141966.tif 000005
【図４】
2011141966.tif 000006
【図５】
2011141966.tif 000007
【図６】
2011141966.tif 000008